(57)【要約】【課題】車室のルーフ側部に対し間接照明を行って高級感のある雰囲気を出すことができる照明器具を備えたアシストグリップを提供することを目的とする。【解決手段】車室のルーフ側部１０に取り付けられるアシストグリップである。グリップ本体１の把持部２におけるルーフ側部１０に対向した部位の内側に、照明器具５がルーフ側部１０に向けて照明光を放射するように取り付けられる。【選択図】図１
2007186050.tif 000002
【特許請求の範囲】
【請求項１】
車室のルーフ側部に取り付けられるアシストグリップにおいて、  
グリップ本体の把持部における該ルーフ側部に対向した部位の内側に、照明器具が該ルーフ側部に向けて照明光を放射するように取り付けられたことを特徴とするアシストグリップ。
【請求項２】
前記照明器具は、前記グリップ本体の把持部内に埋設され、該把持部の外周曲面に沿って透明板が取着されたことを特徴とする請求項１記載のアシストグリップ。
【発明の詳細な説明】
【技術分野】
【０００１】
本発明は、自動車室内のルーフ側部に装着されるアシストグリップに関し、特にグリップ本体に照明器具を取り付けたアシストグリップに関する。
【背景技術】
【０００２】
自動車室内のルーフ側部などに装着され、乗員が握って身体を支持するために使用されるアシストグリップが下記特許文献１などで知られている。この種のアシストグリップは、通常、合成樹脂によって全体が一体成形或は一部が一体成形され、把持部の両側に取付部を設け、取付ねじなどにより両側の取付部を車室内のルーフ側部に固定する構造となっている。
【０００３】
一方、アシストグリップの本体内に、車室用のパーソナルランプとして、照明装置を内蔵した構造のアシストグリップ装置が、下記特許文献２などで提案されている。
【特許文献１】特開２０００−２７２３９８号公報
【特許文献２】実開平７−１８９６７号公報
【発明の開示】
【発明が解決しようとする課題】
【０００４】
この照明装置付きのアシストグリップ装置は、把持するグリップ部分の正面側に、照明ランプが装着され、グリップの正面側から車室内に照明光を放射するように構成され、車室内の照明器具として使用される。しかしながら、このアシストグリップは、そのグリッ部の位置つまりルーフ側部の位置に車室内側に向けて照明器具が取り付けられているため、照明ランプを点灯した場合、車室内の乗員の略真横から光を乗員の頭部に向けて照射することになるため、乗員にグレアを感じさせやすいという課題があった。
【０００５】
一方、近年、高級乗用車においては、車室内に高級感を出すために、装飾性の高い内装を施すと共に、高級感のある雰囲気の室内照明が求められている。しかしながら、車室内の空間は、建物の室内空間などに比べて非常に狭く、照明器具から乗員までの距離が非常に短いため、ブラケットなどにより照明器具を取り付けた場合、違和感が強くなり、また、車室内のルーフやウォールに配置した照明器具を点灯した場合、乗員などに対し直接的に照明光が照射され、照明による車室内の高級感が出しにくいという問題があった。
【０００６】
本発明は、上述の課題を解決するものであり、車室のルーフ側部に対し間接照明を行って高級感のある雰囲気を出すことができる照明器具を備えたアシストグリップを提供することを目的とする。
【課題を解決するための手段】
【０００７】
本発明に係る請求項１のアシストグリップは、車室のルーフ側部に取り付けられるアシストグリップにおいて、グリップ本体の把持部における該ルーフ側部に対向した部位の内側に、照明器具が該ルーフ側部に向けて照明光を放射するように取り付けられたことを特徴とする。
【０００８】
ここで、請求項２のように、上記照明器具は、グリップ本体の把持部内に埋設され、該把持部の外周曲面に沿って透明板を取り付けることができる。
【発明の効果】
【０００９】
上記構成のアシストグリップによれば、グリップ本体内の照明器具を点灯すると、そこから放射される光は、ルーフ側部に向けて照射され、それにより、ルーフ側部からその上方のルーフにかけての面が照らされ、間接照明が行われる。このようなルーフ側部の間接照明は、車室内の空間を広く感じさせることができ、しかも、高級感のある雰囲気を車室内に醸し出すことができる。また、アシストグリップを使用して間接照明を行うため、間接照明用のブラケットなどをルーフ側部に固定する必要がなく、間接照明用の照明器具やブラケットが壁面に現れないため、車室内の良好なデザイン性を悪化させず、間接照明による良好な雰囲気を車室内に作り出すことができる。
【発明を実施するための最良の形態】
【００１０】
以下、本発明の一実施形態を図面に基づいて説明する。図１はアシストグリップの平面図を示し、図２はその拡大断面図を示している。このアシストグリップは、グリップ本体１が、棒状の把持部２の両側に取付部３，４を一体に成形して形成され、把持部２の内側には、照明器具５がルーフ側部１０に向けて照明光を放射するように配設されている。
【００１１】
すなわち、使用者が把持する把持部２は略円柱状に形成され、その略円柱状の把持部２の略中央の内側、つまりルーフ側部１０に向かう側に、照明器具５がルーフ側部１０に向けて光を照射するように、把持部２の内部に埋設される形態で取り付けられている。
【００１２】
照明器具５は傘状のリフレクタ７の中央にランプ６を配設して形成され、全体が把持部２の内部に埋め込むように取り付けられている。リフレクタ７の開口した前面は、透明板８により閉鎖され、透明板８は把持部２の外周曲面と同様な曲面を有して形成されている。
【００１３】
グリップ本体１の把持部２及び取付部３，４は、例えばＰＢＴＧ（ガラス繊維入り飽和ポリエステル樹脂）、ＰＯＭＧ（ガラス繊維入りポリアセタール樹脂）などにより成形され、把持部２の略中央部内側（ルーフ側部に向かう側）に照明器具５が埋設するように取り付けられる。また、照明器具５には、図示しない電源線が把持部２と取付部３または４の内側を通って配線されている。
【００１４】
照明器具５に使用されるランプとしては、小形の白熱電球の他、ハロゲン電球、メタルハライドランプ、蛍光ランプ、小形クリプトン電球など小形ランプを使用することができる。
【００１５】
上記構成のアシストグリップは、図３に示すように、自動車の車室内のルーフ側部１０に、取付部３，４を介して固定ねじなどにより締付け固定されて取り付けられる。照明器具５の向きは、基本的にはルーフ側部１０であるが、少し上方のルーフ上部に向けることもできる。グリップ本体１内に設けた照明器具５側の電源線は、ボデー側の電源線と接続され、照明器具用のスイッチを任意位置に設けることができるが、自動車のスモールランプスイッチと共用することができ、この場合には、スモールランプを点灯したとき、照明器具５が点灯する。
【００１６】
グリップ本体１内の照明器具５を点灯すると、そこから放射される光は、ルーフ側部１０に向けて照射され、それにより、ルーフ側部１０からその上方のルーフにかけての面が照らされ、間接照明が行われる。このようなルーフ側部１０の間接照明は、乗員に照明のグレアを感じさせないばかりでなく、車室内の空間を広く感じさせ、しかも、落ち着いた高級感のある雰囲気を車室内に醸し出すことができる。
【００１７】
また、アシストグリップを使用して間接照明を行うため、間接照明用のブラケットなどをルーフ側部に固定する必要がなく、間接照明用の照明器具やブラケットが壁面に現れないため、車室内の良好なデザインや装飾性を悪化させずに、間接照明によって落ち着いた雰囲気を車室内に作り出すことができる。
【００１８】
一方、乗員がアシストグリップを使用する場合、グリップ本体１の把持部２を手で把持するが、照明器具５は把持部２の内部に埋め込まれ、透明板８は把持部２の外周曲面と略同様な曲面を形成しているため、乗員がグリップ本体１を握る際、違和感なくブリップ本体１の把持部２を把持することができる。
【００１９】
図４、図５は他の実施形態を示し、この例では、照明器具１５のランプとして白色発光ダイオード１６が使用される。照明器具１５は、上記と同様に、把持部２の内側にルーフ側部１０に向けて照明光を放射するように埋設される。
【００２０】
発光ダイオード１６は白熱電球などのランプに比べ小形であるため、把持部２の長手方向に並べて配置し、ライン状の光源とする。これにより、比較的細い把持部２であっても、照明器具１５を目立たせることなく、また、把持部２のグリップ感を悪化させることなく、把持部２の内側に照明器具１５を配置することができる。
【００２１】
照明器具１５を点灯すると、上記と同様に、そこから放射される光は、ルーフ側部１０に向けて照射され、それにより、ルーフ側部１０からその上方のルーフにかけての面が照らされ、間接照明が行われる。このようなルーフ側部１０の間接照明は、上記と同様に、乗員に照明のグレアを感じさせないばかりでなく、車室内の空間を広く感じさせ、しかも、落ち着いた高級感のある雰囲気を車室内に醸し出すことができる。
【００２２】
このように、本アシストグリップによれば、把持部２の内側に設けた照明器具５、１５により、車室のルーフ側部１０に対し、間接照明を行なうから、乗員にグレアを感じさせずに照明を行なって、車室内に高級感のある雰囲気を創り出すことができる。
【図面の簡単な説明】
【００２３】
【図１】本発明の一実施形態を示し、アシストグリップの平面図である。
【図２】同アシストグリップのII-II拡大断面図である。
【図３】使用状態を示す斜視図である。
【図４】他の実施形態のアシストグリップの平面図である。
【図５】同アシストグリップのV-V拡大断面図である。
【符号の説明】
【００２４】
１  グリップ本体
２  把持部
３，４  取付部
５  照明器具
６  ランプ
８  透明板
１０  ルーフ側部
【図１】
2007186050.tif 000003
【図２】
2007186050.tif 000004
【図３】
2007186050.tif 000005
【図４】
2007186050.tif 000006
【図５】
2007186050.tif 000007